(57)【要約】【課題】ユーザーが飽きることなく楽しめる恋愛評価システム及び恋愛評価プログラムを提供する。【解決手段】ユーザーの生年月日情報と、恋愛に関連した所定の質問に対する回答情報とを記憶する記憶手段と、前記生年月日情報に基づいたユーザーの第１指数情報を特定する第１指数情報特定手段と、前記回答情報に基づいたユーザーの第２指数情報を特定する第２指数情報特定手段と、前記第１指数情報と、前記第２指数情報とから恋愛に関連した偏差値を算出する偏差値算出手段と、算出された前記偏差値に基づいた所定のコメントを出力するコメント出力手段とを有する恋愛評価システム及びそれに用いるプログラムとする。【選択図】図２
2006095109.tif 000002
【特許請求の範囲】
【請求項１】
ユーザーの生年月日情報と、恋愛に関連した所定の質問に対する回答情報とを記憶する記憶手段と、
前記生年月日情報に基づいたユーザーの第１指数情報を特定する第１指数情報特定手段と、
前記回答情報に基づいたユーザーの第２指数情報を特定する第２指数情報特定手段と、
前記第１指数情報と、前記第２指数情報とから恋愛に関連した偏差値を算出する偏差値算出手段と、
算出された前記偏差値に基づいた所定のコメントを出力するコメント出力手段と
を有する恋愛評価システム。
【請求項２】
前記ユーザーごとの前記偏差値を記憶する偏差値記憶手段と、
所定期間において前記の各ユーザーの前記偏差値が前記偏差値記憶手段に複数記憶されている場合に、前記ユーザーごとの前記偏差値の平均値を算出する平均偏差値算出手段と、
この平均偏差値算出手段で算出された前記偏差値の平均値に基づいて前記ユーザーのランキングを行うランキング手段と
を有することを特徴とする請求項１記載の恋愛評価システム。
【請求項３】
ユーザーからの所要の入力に基づいて、そのユーザーの恋愛に関する評価を行う恋愛評価プログラムにおいて、
前記ユーザーの生年月日情報を入力させるステップと、
所定の質問に対する前記ユーザーの回答情報を入力させるステップと、
前記生年月日情報に基づいたユーザーの第１指数情報を特定するステップと、
前記回答情報に基づいたユーザーの第２指数情報を特定するステップと、
前記第１指数情報と、前記第２指数情報とから恋愛に関連した偏差値を算出するステップと、
算出された前記偏差値に基づいた所定のコメントを出力するステップと
を有することを特徴とする恋愛評価プログラム。
【請求項４】
前記ユーザーごとの前記偏差値を記憶するステップと、
所定期間において前記の各ユーザーの前記偏差値が複数記憶されている場合に、前記ユーザーごとの前記偏差値の平均値を算出するステップと、
算出された前記偏差値の平均値に基づいて前記ユーザーのランキングを行うステップと
を有することを特徴とする請求項３記載の恋愛評価プログラム。
【発明の詳細な説明】
【技術分野】
【０００１】
本発明は、各ユーザーの恋愛における偏差値を算出可能とした恋愛評価システム及び恋愛評価プログラムに関するものである。
【背景技術】
【０００２】
従来、自分自身の恋愛に関する傾向を知る方法としては、恋愛占いや心理テストなどが用いられている。
【０００３】
特に、昨今では、インターネットを用いることによって恋愛占いをベースとした相性占いや心理テストのサービスが提供されており、気軽に自分自身の恋愛に関する傾向を知ることができるようになっている（例えば、特許文献１参照。）。
【特許文献１】特開２００１−１１３０３５号公報
【発明の開示】
【発明が解決しようとする課題】
【０００４】
しかしながら、上記した恋愛占いをベースとした相性占いや心理テストでは、一般的な統計学に基づく傾向が示されるだけであって、画一的な結果が出力されるだけであるので新鮮みがなく、ユーザーにすぐに飽きられてしまうという問題があった。
【課題を解決するための手段】
【０００５】
そこで、本発明の恋愛評価システムでは、ユーザーの生年月日情報と、恋愛に関連した所定の質問に対する回答情報とを記憶する記憶手段と、生年月日情報に基づいたユーザーの第１指数情報を特定する第１指数情報特定手段と、回答情報に基づいたユーザーの第２指数情報を特定する第２指数情報特定手段と、第１指数情報と第２指数情報とから恋愛に関連した偏差値を算出する偏差値算出手段と、算出された偏差値に基づいた所定のコメントを出力するコメント出力手段とを有することとした。
【０００６】
さらに、ユーザーごとの偏差値を記憶する偏差値記憶手段と、所定期間において各ユーザーの偏差値が偏差値記憶手段に複数記憶されている場合に、ユーザーごとの偏差値の平均値を算出する平均偏差値算出手段と、この平均偏差値算出手段で算出された偏差値の平均値に基づいてユーザーのランキングを行うランキング手段とを有することにも特徴を有するものである。
【０００７】
また、本発明の恋愛評価プログラムでは、ユーザーからの所要の入力に基づいて、そのユーザーの恋愛に関する評価を行う恋愛評価プログラムにおいて、ユーザーの生年月日情報を入力させるステップと、所定の質問に対するユーザーの回答情報を入力させるステップと、生年月日情報に基づいたユーザーの第１指数情報を特定するステップと、回答情報に基づいたユーザーの第２指数情報を特定するステップと、第１指数情報と第２指数情報とから恋愛に関連した偏差値を算出するステップと、算出された偏差値に基づいた所定のコメントを出力するステップとを有することとした。
【０００８】
さらに、ユーザーごとの偏差値を記憶するステップと、所定期間において各ユーザーの偏差値が複数記憶されている場合に、ユーザーごとの偏差値の平均値を算出するステップと、算出された偏差値の平均値に基づいてユーザーのランキングを行うステップとを有することにも特徴を有するものである。
【発明の効果】
【０００９】
本発明によれば、ユーザーの生年月日情報から得られた第１指数情報と、恋愛に関連した所定の質問に対する回答情報から得られた第２指数情報とから恋愛に関連した偏差値を算出することにより、ユーザーの恋愛に関する傾向を数値として評価することができる。
【００１０】
しかも、恋愛に関連した所定の質問に対する回答情報が変動することにより第２指数情報が変動し、その結果、偏差値に変動が生じるので、常に変動した結果が得られることによりユーザーを飽きさせることがないだけでなく、ユーザーが偏差値を向上させようとして偏差値に基づいて提示されたコメントにしたがった行動を選択することになり、ユーザーの向上心を喚起することができる。
【発明を実施するための最良の形態】
【００１１】
本発明の恋愛評価システム及び恋愛評価プログラムでは、生年月日情報に基づいたユーザーの第１指数情報と、恋愛に関連した所定の質問に対する回答情報に基づいて特定された第２指数情報とから恋愛に関連した偏差値を算出するとともに、算出された偏差値に基づいた所定のコメントを出力するようにしているものである。
【００１２】
このように恋愛に関連した偏差値を算出することによりユーザーの恋愛に関する傾向を数値として評価することができ、客観的な判断を可能とすることができる。
【００１３】
特に、第１指数情報とは、行動統計心理学に基づいてユーザーの特性をグループ化し、複数の特性グループのうちからいずれか一つの特性グループを各ユーザーにそれぞれ割り付け、割り付けられた特性グループに対してあらかじめ設定した値であって、この特性グループの割り付けをユーザーの生年月日情報に基づいて行っているものである。
【００１４】
すなわち、生年月日情報は古くから四柱推命などにも用いられるように、各個人の特性を区分する場合の識別情報として有益な情報であり、本発明では、この生年月日情報に基づいてユーザーをいずれか１つの行動統計心理学に基づく特性グループに割り付けて、第１指数を特定しているものである。
【００１５】
行動統計心理学に基づくユーザー特性のグループ化には様々な方法があるが、ここでは「価値観特性」、「決断特性」、「行動特性」の３つの特性に関して、各特性でのタイプ分けによって個別のグループを構成するようにしている。
【００１６】
ここで、「価値観特性」とは、ユーザー自身が何に価値観を見いだすかに基づいた分類であって、自身の感覚を重視する「感覚重視派」と、機能や効果などの実利面を重視する「機能重視派」と、金銭的な面を重視する「コスト重視派」の３タイプに分類されるものである。
【００１７】
「決断特性」とは、意志決定する場合にメリットとデメリットのいずれを重視して決断を行うかに基づいた分類であって、メリットや可能性を重視して決断を行う「可能性重視派」と、デメリットやリスクを重視して決断を行う「リスク重視派」の２タイプに分類されるものである。
【００１８】
「行動特性」とは、行動を起こすタイミングに基づいた分類であって、比較的早い段階で自分から積極的に行動を起こす「能動派」と、比較的遅くまで行動せずに、他人の行動に引きずられるように後追い的に行動を起こす「受動派」の２タイプに分類されるものである。
【００１９】
生年月日情報に基づいて、上記の３タイプ×２タイプ×２タイプ＝１２タイプの特性グループの中から一つの特性グループをそのユーザーの属性とし、各特性グループにあらかじめ設定した値を第１指数としている。
【００２０】
したがって、第１指数によって基本特性を特定することができ、しかも生年月日情報に基づいて固定された指数となることにより、恋愛評価において妥当性の高い評価とすることができるので、ユーザーからより高い信頼を得ることができる。
【００２１】
さらに、本発明の偏差値算出に用いる第２指数は、恋愛に関連した所定の質問に対する回答情報に基づくものであり、回答に対して得点付けすることにより得点の算出を行い、算出結果を第２指数としている。このように第２指数を用いることによって、個人差を勘案することができる。
【００２２】
恋愛評価システムでは、このようにして特定した第１指数と第２指数とを用いて恋愛に関する偏差値を算出し、さらに、算出した偏差値に基づいて所定のコメント情報を出力している。
【００２３】
特に、第２指数を特定している回答情報はユーザーごとに異なっており、しかも、例えば入力時に前回の入力とは異なる回答を入力することによって第２指数情報は変動するので、第２指数情報の変動にともなって偏差値を変動させることができ、ユーザーに対して偏差値を高めようとする意欲を与えることができる。
【００２４】
しかも、恋愛評価システムでは、ユーザーごとの偏差値を記憶するとともに、所定期間において各ユーザーの偏差値が複数記憶されている場合には、ユーザーごとの偏差値の平均値を算出して、算出された偏差値の平均値に基づいてユーザーのランキングを行うことによって、各ユーザーに偏差値をさらに向上させようとする意欲を与えることができる。
【００２５】
特に、複数回算出した偏差値の平均値を用いることによって、偏差値の信頼性を向上させて、ランキングの信頼性を向上させることができる。
【００２６】
以下において、図面に基づいて本実施形態について詳説する。図１は本実施形態の恋愛評価システムのシステム構成概略図である。
【００２７】
本実施形態の恋愛評価システムでは、ハードディスクなどの記憶手段に恋愛評価プログラムを格納したサーバ装置10と、このサーバ装置10とインターネットなどの電気通信回線20を介して接続したユーザー用クライアント装置30とで構成している。
【００２８】
サーバ装置10には、ユーザーの生年月日情報をはじめとしたユーザー情報を記憶したユーザー情報記憶手段であるユーザー情報用データベース（図示せず）を構築している。
【００２９】
さらに、サーバ装置10の記憶手段には、各ユーザーに対して実施する恋愛に関連する質問の内容情報を記録した質問ファイルを記憶しているとともに、ユーザーに対して行った所定の質問に対する回答情報をユーザー情報用データベースに記憶し、さらに、取得した回答情報を用いて算出した偏差値情報もユーザー情報用データベースに記憶している。
【００３０】
また、サーバ装置10の記憶手段には、算出した偏差値に添付するコメント情報をあらかじめ記憶している。
【００３１】
そして、サーバ装置10は、サーバ装置10の演算手段を用いて恋愛評価プログラムを実行することにより、ユーザー情報用データベースに記憶されたユーザーの生年月日情報に基づいて、サーバ装置10の記憶手段にあらかじめ記憶されている複数の特性グループの中からいずれか一つの特性グループを特定し、その特性グループに対して設定されている所定の値をそのユーザーの第１指数として特定する第１指数特定手段を有している。
【００３２】
さらに、サーバ装置10は、サーバ装置10の演算手段を用いて恋愛評価プログラムを実行することにより、あらかじめ記憶した恋愛に関連する質問をユーザーに対して実行する質問実行手段を有するとともに、質問に対して得られた回答情報に基づいて第２指数を特定する第２指数特定手段を有している。
【００３３】
しかも、サーバ装置10は、サーバ装置10の演算手段を用いて恋愛評価プログラムを実行することにより、特定した第１指数と第２指数とを用いて偏差値を算出する偏差値算出手段を有しており、算出した偏差値情報を出力するとともに、その偏差値情報に添付するコメント情報を抽出して出力する出力手段を有している。
【００３４】
本実施形態では、恋愛に関する項目として、「出会い力」「恋のチャンス（恋チャン）力」「告白力」「誉め力」「ＳＥＸＹ力」「デート力」「センス力」「浮気力」「別れ力」「失恋力」「癒し力」「合コン力」「遠距離恋愛（遠恋）力」「モトサヤ力」「不倫力」「泥沼恋愛力」「恋トラブル力」「恋友情力」の項目を設けており、それぞれの項目用の質問を行って、その回答情報から得られた第２指数情報と、生年月日情報に基づく第１指数情報から各項目の偏差値を算出するようにしている。
【００３５】
そのうえ、サーバ装置10は、サーバ装置10の演算手段を用いて恋愛評価プログラムを実行することにより、あらかじめ設定した所定のタイミングで、算出された偏差値に基づくユーザーのランキングを行うランキング処理手段を有し、このランキング手段での処理結果を出力するランキング結果出力手段を有している。
【００３６】
本実施形態では、ランキング結果出力手段は電子メールとしており、ランキング処理の終了に基づいてサーバ装置10からユーザー用クライアント装置30に電子メールを送信して、ランキング結果を通知するようにしている。
【００３７】
図１では、サーバ装置10は１台の電子計算機で構成しているように表記しているが、必要に応じて複数台の電子計算機の組み合わせによって所要のサーバ機能を有するようにしてもよい。
【００３８】
ユーザー用クライアント装置30は、電気通信回線20を介してサーバ装置10に接続可能となっていればどのような電子機器を用いてもよく、図１に示すようにサーバ装置10に接続可能とした携帯電話に限定するものではなく、デスクトップ型あるいはノート型のパーソナルコンピュータ、ＰＤＡ（Personal Digital Assistants）などであってもよい。
【００３９】
以下において、図２のフローチャートに基づいて、サーバ装置10にインストールされた恋愛評価プログラムに基づくサーバ装置10の動作について説明する。
【００４０】
なお、説明の便宜上、ユーザーは、ユーザー用クライアント装置30を用いてサーバ装置10にアクセスし、ユーザー登録を既に行っているものとし、ユーザー登録にともなってユーザー情報用データベースに生年月日情報、及び使用しているユーザー用クライアント装置30で電子メールを受信するための電子メールアドレスなどを登録しているものとする。
【００４１】
まず、ユーザーがユーザー用クライアント装置30を用いてサーバ装置10にアクセス要求を行うと（ステップＳ１)、サーバ装置10は、ユーザー用クライアント装置30に対してＩＤ・パスワード入力画面情報を送信する（ステップＳ２)。
【００４２】
ユーザー用クライアント装置30では、受信したＩＤ・パスワード入力画面情報に基づいて出力画面にＩＤ・パスワード入力画面を表示し（ステップＳ３)、ユーザーはＩＤ・パスワード入力画面に基づいてあらかじめ登録されているＩＤ及びパスワードを入力して、サーバ装置10に送信する（ステップＳ４)。
【００４３】
サーバ装置10は、受信したＩＤ情報及びパスワード情報に基づいてユーザー認証を行い（ステップＳ５)、適正なユーザーである場合に、ユーザー用クライアント装置30に対してメニュー画面情報を送信する（ステップＳ６)。
【００４４】
ユーザー用クライアント装置30では、受信したメニュー画面情報に基づいて出力画面にメニュー画面を表示し（ステップＳ７)、ユーザーはメニュー画面に設けた「偏差値算出」ボタンを選択することにより、偏差値算出モードの選択したことをサーバ装置10に通知する（ステップＳ８)。なお、メニュー画面には、「偏差値算出」ボタンだけでなく、「履歴確認」ボタンや、「コメント確認」ボタンなど、ユーザーに対して所要のサービスを提供するための適宜の選択ボタンを設けてよい。
【００４５】
サーバ装置10は、ユーザー用クライアント装置30からの偏差値算出モードの要求に基づいて、サーバ装置10の記憶手段にあらかじめ記憶している恋愛に関連する質問からなる質問画面情報をユーザー用クライアント装置30に対して送信する（ステップＳ９)。
【００４６】
ユーザー用クライアント装置30では、受信した質問画面情報に基づいて出力画面に質問画面を表示し（ステップＳ１０)、ユーザーは各質問に対する回答を入力する。
【００４７】
ここで、質問とは、例えば、「自分は人見知りをする傾向が」とか、「自分は、自分の意見を主張する傾向が」という内容であって、これらの質問に対して「かなり強い」「強い方だと思う」「強くも弱くもない」「弱い方だと思う」「かなり弱い」の５つから１つを回答として選択させるものである。なお、この形態に限定するものではなく、後述するように回答の得点化が可能な質問形態となっていればよい。
【００４８】
質問は、上記した１９項目の評価内容に対する判定が可能な質問であって、精度を高めるために本実施形態では５０問の質問を設けている。
【００４９】
ユーザーは、各質問に対する回答を入力した後、質問画面情報に設けた「送信」ボタン（図示せず）することにより、回答結果をサーバ装置10に送信する（ステップＳ１１)。なお、ユーザー用クライアント装置30が携帯電話である場合には、出力画面が小さいために５０問の質問の表示、及びその質問に対する入力操作が困難であるために、たとえば５問ずつ１０回に分けて回答を入力・送信するようにしてもよい。
【００５０】
サーバ装置10は、ユーザー用クライアント装置30からの送信されてきた回答情報に基づいて、各評価項目の得点を算出する。
【００５１】
本実施形態では、「かなり強い」を１０点、「強い方だと思う」７点、「強くも弱くもない」を５点、「弱い方だと思う」３点、「かなり弱い」０点として、評価項目ごとに１０の質問の回答情報の得点を加算して、１００点満点で各評価項目の得点を算出し、算出された得点情報を第２指数としている（ステップＳ１２)。
【００５２】
ここで、ｋ番目のユーザーのｉ番目の評価項目における得点をＹkiと表示することにする。すなわち、第２指数をＹkiと表示することにする。
【００５３】
さらに、サーバ装置10は、ユーザー情報用データベースに登録されているユーザーの生年月日情報からユーザーの特性グループを特定し、特定された特性グループに基づいて、各評価項目における第１指数を特定している（ステップＳ１３)。
【００５４】
ここで、特性グループは上記したように１〜１２の１２グループに分けており、下表に示す割付表に基づいて各評価項目の第１指数を特定している。ｋ番目のユーザーのｉ番目の評価項目における第１指数をＸkiと表示することにする。この第１指数Ｘkiは、あらかじめ各特性グループに属する被験者に対して実施した試験結果の平均値から決定している指数である。
【表１】
2006095109.tif 000003
【００５５】
次いで、サーバ装置10は、上記したように決定した第１指数Ｘki及び第２指数をＹkiを用いて、以下の計算式に基づいて評価項目ごとの偏差値σiを算出している（ステップＳ１４)。
【数１】
2006095109.tif 000004
【００５６】
サーバ装置10は偏差値σiの算出後、算出された偏差値σiをユーザー情報用データベースに登録している（ステップＳ１５)。
【００５７】
次いで、サーバ装置10は算出された偏差値σiに対応するコメント情報を抽出し（ステップＳ１６)、偏差値表示画面情報を生成してユーザー用クライアント装置30する（ステップＳ１７)。
【００５８】
ユーザー用クライアント装置30では、受信した偏差値表示画面情報に基づいて、図３に示す偏差値表示画面40を出力画面に表示し（ステップＳ１８)、ユーザーは自分の偏差値を確認する。
【００５９】
偏差値表示画面40では、各評価項目はそれぞれリンクボタンとしており、いずれか一つの評価項目を選択することにより、ユーザー用クライアント装置30は、サーバ装置10に評価項目の内容に関するコメント情報の送信を要求するようにしている（ステップＳ１９)。
【００６０】
サーバ装置10は、ユーザー用クライアント装置30からのコメント情報の送信要求に基づいて、コメント表示画面情報を送信するようにしている（ステップＳ２０)。
【００６１】
ユーザー用クライアント装置30では、受信したコメント表示画面情報に基づいて、図４に示すコメント表示画面50を出力画面に表示し、評価結果に対するコメントを確認できるようにしている（ステップＳ２１)。
【００６２】
コメント表示画面50には、ランキングの表示を要求するためのリンクボタン51を設けており、このリンクボタン51が選択されることによって、ユーザー用クライアント装置30は、サーバ装置10にそのユーザーの所定の評価項目におけるランキング情報の送信を要求するようにしている（ステップＳ２２)。
【００６３】
なお、ランキング情報の送信を要求は、図３の偏差値表示画面40における各評価項目の評価結果をリンクボタンとして行うことができるようにもしている。
【００６４】
サーバ装置10は、ユーザー用クライアント装置30からのランキング情報の送信要求に基づいて、ユーザー情報用データベースに記録されている偏差値情報からユーザーの順位付け処理を行って、ランキング情報の送信要求を行ったユーザーのランキングを特定する（ステップＳ２３)。
【００６５】
そして、サーバ装置10は、特定したランキング情報を表示するランキング表示画面情報を送信するようにしている（ステップＳ２４)。
【００６６】
ユーザー用クライアント装置30では、受信したランキング表示画面情報に基づいて、ランキング表示画面を出力画面に表示し、ユーザーのランキングを表示するようにしている（ステップＳ２１)。
【００６７】
さらに、サーバ装置10では定期的に順位付け処理を行ってユーザーのランキングを決定し、ランキング結果をユーザー用クライアント装置30に電子メールで通知するようにしている。
【００６８】
すなわち、図５に示すように、サーバ装置10では順位付け処理を実施する所定のタイミングを検出すると（ステップＴ１)、本実施形態では、前回の順位付け処理以降にユーザー情報用データベースに２回以上偏差値情報が登録されたユーザーを抽出し（ステップＴ２)、抽出されたユーザーの偏差値の平均値を算出する（ステップＴ３)。
【００６９】
このように、偏差値の平均値を用いることによって、偏差値を意図的に高めるようにした不正なユーザーを排除しやすくすることができ、順位付け処理に基づくランキング結果の信頼性を向上させることができる。
【００７０】
次いで、サーバ装置10は、偏差値の平均値を用いてユーザーの順位付けを行って、各ユーザーのランキングを決定する（ステップＴ４)。
【００７１】
次いで、サーバ装置10は、決定したランキングに基づいてランキング通知メールを生成して、各ユーザーにランキング通知メールを送信してランキングを通知している（ステップＴ５)。
【００７２】
このように、定期的にランキングが通知されることにより、ユーザーは自身の恋愛偏差値を向上させようとし、向上心を喚起することができる。
【００７３】
上記した実施形態では、ユーザー自身の生年月日情報に基づいてユーザーの恋愛偏差値を算出しているが、ユーザーの相方の生年月日情報を登録し、相性偏差値を算出するようにすることもできる。この場合、相性に基づく因子は、第２指数で評価することにより、容易に相性偏差値を算出することができる。
【図面の簡単な説明】
【００７４】
【図１】本発明に係る恋愛評価システムのシステム構成概略図である。
【図２】本発明に係る恋愛評価システムのシステムフローを示したフローチャートである。
【図３】偏差値表示画面の説明図である。
【図４】コメント表示画面の説明図である。
【図５】本発明に係る恋愛評価システムのシステムフローを示したフローチャートである。
【符号の説明】
【００７５】
10    サーバ装置
20    電気通信回線
30    ユーザー用クライアント装置
Ｘki  第１指数
Ｙki  第２指数
【図１】
2006095109.tif 000005
【図２】
2006095109.tif 000006
【図３】
2006095109.tif 000007
【図４】
2006095109.tif 000008
【図５】
2006095109.tif 000009